(57)【要約】【課題】指股最下点の位置関係に変更を加えて捕球面を広げ、また、人差し指の指袋を太くして捕球時のショックを分散させると共に、指袋やその付け根部分への詰め物を増やしてクッション性を高めることによって、捕球性能を高めつつ人差し指への負担を減少させた野球・ソフトボール用グラブの提供を目的とするものである。【解決手段】人差し指と中指との指股最下点を、薬指と小指との指股最下点と中指と薬指との指股最下点の延長線上より１０ｍｍ以上上方になるよう形成する。また、人差し指の指袋を、中指の指袋及び薬指の指袋よりも太く形成すると共に、人差し指と中指との指股最下点を、薬指と小指との指股最下点と中指と薬指との指股最下点の延長線上より１０ｍｍ以上上方になるよう形成する。【選択図】  図１
2004329843.tif 000002
【特許請求の範囲】
【請求項１】
グラブ捕球面側の表面部材によって形成される指股最下点の位置関係に特徴を有するグラブであって、人差し指と中指との指股最下点（１）を、薬指と小指との指股最下点（２）と中指と薬指との指股最下点（３）の延長線上より１０ｍｍ以上上方に形成したことを特徴とする野球・ソフトボール用グラブ。
【請求項２】
人差し指の指袋の太さに特徴を有するグラブであって、人差し指の指袋（４）を、中指の指袋（５）及び薬指の指袋（６）よりも太く形成したことを特徴とする特許請求項１記載の野球・ソフトボール用グラブ。
【発明の詳細な説明】
【０００１】
【発明の属する技術分野】
本発明は、野球・ソフトボール用グラブに関し、詳しくは、グラブ捕球面側の表面部材によって形成される指股最下点の位置関係を従来と変えることによって捕球面を広げたグラブ及び人差し指の指袋を、中指の指袋や薬指の指袋よりも太く形成したグラブに関するものである。
【０００２】
【従来の技術】
従来、グラブ捕球面を広げるため小指袋と薬指袋の間に調整部と段部を形成している（例えば、特許文献１参照）。
【０００３】
【特許文献１】
特開平１１−２５３６００号公報（請求項１−６、第１図）
【０００４】
【発明が解決しようとする課題】
指股最下点の位置関係に変更を加えて捕球面を広げ、また、人差し指の指袋を太くして捕球時のショックを分散させると共に、指袋やその付け根部分への詰め物を増やしてクッション性を高めることによって、捕球性能を高めつつ人差し指への負担を減少させた野球・ソフトボール用グラブの提供を目的とするものである。
【０００５】
【課題を解決するための手段】
上記目的を達成するため、本発明の野球・ソフトボール用グラブにおいては、人差し指と中指との指股最下点を、薬指と小指との指股最下点と中指と薬指との指股最下点の延長線上より１０ｍｍ以上上方に形成する。
【０００６】
また、人差し指の指袋を、中指の指袋及び薬指の指袋よりも太く形成すると共に、人差し指と中指との指股最下点を、薬指と小指との指股最下点と中指と薬指との指股最下点の延長線上より１０ｍｍ以上上方に形成する。
【０００７】
【発明の実施の形態】
グラブ捕球面側の表面部材によって形成される指股最下点の位置関係は、従来、人差し指と中指との指股最下点を、薬指と小指との指股最下点と中指と薬指との指股最下点の略延長線上に設定するか、或いは、人の掌に倣う形で延長線上よりもやや下方に設定されていた。
本発明では、人差し指と中指との指股最下点を、薬指と小指との指股最下点と中指と薬指との指股最下点の延長線上より１０ｍｍ以上上方に形成することにより、グラブ捕球面を広げ捕球性能を高めるものである。
上述のようにグラブ捕球面側の表面部材を形成するためには、グラブ捕球面側の表面部材を裁断するための雛形を、人差し指と中指との指股最下点が、薬指と小指との指股最下点と中指と薬指との指股最下点の延長線上より１０ｍｍ以上上方になるよう設計変更することによって実施され、同様に、グラブ背面側の表面部材を裁断するための雛型にも設計変更がなされることによって実施される。
上記の雛形の設計変更は、当業者には極めて容易に実施できるものである。
さらに詳述すれば、グラブ表面部材の設計変更に伴いグラブ内に挿入される内装芯袋の設計変更も必然的に行われるものではあるが、この点についても当業者には極めて容易に実施できるものである。
なお、従来よりグラブ捕球面は、グラブの掌に相当する部分の面をいい、人差し指と中指との指股最下点を上方に設けることより、人差し指の指袋の付け根付近が掌のように形成され、捕球面が広くなると共に捕球性能が好適に向上するものである。
なお、指股最下点を総て上方に設けることによりグラブの捕球面を著しく拡大することも可能ではあるが、この場合においては、指の指袋への挿入部分、特に小指と薬指の指袋への挿入部分が減少することにより、小指と薬指の力が指袋へ伝わりにくくなることによりグラブの操作性が著しく低下するものである。
本発明では、実用的な範囲で好適に捕球面を広げ、かつ、グラブの操作性も損なうことのないよう、試行テストを繰り返し設計変更がなされたものである。
そうした試行テストの中、従来のグラブの掌に相当する部分をいう捕球面の内、特に親指と人差し指の指股最下点と薬指と小指の指股最下点とを結ぶカーブラインよりも上方の捕球面を広げることが重要であることを知見したものである。本発明では、この親指と人差し指の指股最下点と薬指と小指の指股最下点とを結ぶカーブラインよりも上方の捕球面を有効捕球面と表記した。有効捕球面を逸れた捕球面での捕球は不安定であり、落球を招いたりするというテスト結果からの謂である。
このように本発明では、捕球面、特に有効捕球面である人差し指の指袋の付け根付近が広くなるものであって、いわゆる、グラブの内懐が広くなり捕球の安定性が顕著に高められるというテスト結果を得たものである。
次に、人差し指の指袋を、中指の指袋及び薬指の指袋よりも太く形成するグラブの実施形態について説明する。
従来のグラブでは、人差し指の指袋、中指の指袋、薬指の指袋については、略同じ太さに形成されていた。特に太さを変える必要がないことと、太さを変えることによるメリットを見出せないという事情によるものである。
本発明では、グラブの有効捕球面を広げるため、人差し指と中指の指股最下点を上方に上げることにより、人差し指の指袋の付け根付近が広くなるという事情は既に述べたとおりである。その結果として、当然のことながら、従来のグラブに比べその部位の人差し指の負担が増大することになる。
そうした事情から本発明では、人差し指の指袋を太くして捕球時のショックを分散させると共に、指袋への詰め物を増やしてクッション性を高めることによっても人差し指への負担減少を計るものである。
上述のように人差し指の指袋を、中指の指袋及び薬指の指袋よりも太く形成するためには、既述したグラブの表面部材を裁断するための雛形を設計変更する方法に倣って極めて容易に実施できるものである。
【０００８】
【実施例】
発明の実施例を図面に基づいて説明する。
図１は、本発明によるグラブを捕球面側から見た斜視図であり、図２は、従来のグラブを捕球面側から見た斜視図である。図では、薬指と小指との指股最下点２と中指と薬指との指股最下点３の延長線Ａは点線で、有効捕球面Ｂは１点鎖線で、人差し指の指袋の付け根付近Ｃは２点鎖線で、それぞれ表示されている。
本発明によるグラブと従来のグラブを比較すると、有効捕球面Ｂが、人差し指の指袋の付け根付近Ｃをグラブの掌の一部となるよう形成し、捕球面として機能するようにして広められているのが理解できるであろう。
図１では、請求項１の発明を実施するため、人差し指と中指との指股最下点１は、薬指と小指との指股最下点２と中指と薬指との指股最下点３の延長線Ａ上より１５ｍｍ上方に形成されている。また、請求項２の発明を実施するため、人差し指の指袋４は、中指の指袋５及び薬指の指袋６よりも５ｍｍ太く形成されている。
なお、表面部材としては、一般的に合成皮革や牛革が用いられるが、実施例では、合成皮革が用いられている。また、人差し指と中指との指股最下点１を、薬指と小指との指股最下点２と中指と薬指との指股最下点３の延長線Ａ上より上方に上げる寸法は、１０ｍｍ以上、２０ｍｍ以下が望ましい。
図３は、本発明によるグラブの捕球面側の裁断された表面部材の平面図であり、図４は、従来のグラブの捕球面側の裁断された表面部材の平面図である。
本発明によるグラブの表面部材の平面図と従来のグラブの表面部材の平面図を比較することによっても、人差し指の指袋の付け根付近Ｃをグラブの掌の一部となるよう形成し、捕球面として機能するようにして広められているのが理解できるであろう。
図３に示される裁断された表面部材は、請求項１の発明を実施するため、人差し指と中指との指股最下点１が、薬指と小指との指股最下点２と中指と薬指との指股最下点３の延長線Ａ上より１５ｍｍ上方になるよう形成されている。また、請求項２の発明を実施するため、人差し指の指袋４が、中指の指袋５及び薬指の指袋６よりも５ｍｍ太くなるよう形成されている。
上記のように裁断された捕球面側の表面部材と、これに見合わせて設計変更された背面側の表面部材、及び内装芯袋を従来の加工法に倣って縫製することによって、図１に示される本発明のグラブが極めて容易に得られるものである。
【０００９】
【発明の効果】
本発明による野球・ソフトボール用グラブは、人差し指と中指との指股最下点を、薬指と小指との指股最下点と中指と薬指との指股最下点の延長線上より１０ｍｍ以上上方になるよう形成することにより、人差し指の指袋の付け根付近がグラブの掌の一部となるよう形成され、捕球面が広くなると共に捕球性能が好適に向上するものである。また、捕球面、特に、有効捕球面が広くなり、いわゆる、グラブの内懐が広くなって捕球の安定性を顕著に高めることができる。
なお、指股最下点を総て上方に設けることによりグラブの捕球面を著しく拡大することも可能ではあるが、この場合においては、指の指袋への挿入部分、特に小指と薬指の指袋への挿入部分が減少することにより、小指と薬指の力が指袋へ伝わりにくくなることによりグラブの操作性が著しく低下するものである。
本発明では、実用的な範囲で好適に有効捕球面を広げ、かつ、グラブの操作性も損なうことのないグラブを得ることができるものである。
また、グラブの有効捕球面を広げるため、人差し指と中指の指股最下点を上方に上げることにより、従来のグラブに比べその部位の人差し指への負担が増大するというデメリットを伴うものであるが、本発明の請求項２では、人差し指の指袋を太くすることにより、捕球時のショックを分散させると共に、指袋への詰め物を増やしてクッション性を高め、人差し指への負担減少を計ることができる。
【図面の簡単な説明】
【図１】本発明によるグラブを捕球面側から見た斜視図である。
【図２】従来のグラブを捕球面側から見た斜視図である。
【図３】本発明によるグラブの捕球面側の裁断された表面部材の平面図である。
【図４】従来のグラブの捕球面側の裁断された表面部材の平面図である。
【符号の説明】
１  人差し指と中指との指股最下点
２  薬指と小指との指股最下点
３  中指と薬指との指股最下点
４  人差し指の指袋
５  中指の指袋
６  薬指の指袋
Ａ  薬指と小指との指股最下点と中指と薬指との指股最下点の延長線
Ｂ  有効捕球面
Ｃ  人差し指の指袋の付け根付近
【図１】
2004329843.tif 000003
【図２】
2004329843.tif 000004
【図３】
2004329843.tif 000005
【図４】
2004329843.tif 000006